(57)【要約】【課題】コンパクトであり、しかも泥状の被処理物を効率的に乾燥し、減容することができるようにした被処理物の乾燥減容装置を提供する。【解決手段】本被処理物の乾燥減容装置は、被処理物の投入口１６と乾燥ケーキの排出口１７とが設けられているハウジング１０内に、周方向に回転する駆動軸２０が水平方向に架設され、該駆動軸２０に加熱撹拌手段３０が固定されている。加熱撹拌手段３０は、スチームＳを噴射し、かつ、ドレインＤを回収する複数の長孔３１ｃを形成した複数のループ状のパイプ３１が駆動軸２０を取り巻き、各ループ状のパイプ３１を両側面から２枚一組のプレート３２，３２が挟み、ループ状のパイプ３１から径方向に撹拌羽根３３が突出したものである。ループ状のパイプ３１は、一端部３１ａを駆動軸２０に併設されたスチームヘッダ２４に取り付け、他端部３１ｂを駆動軸２０の中間部に形成したドレイン回収部２２内に入り込ませたものである。【選択図】図１
2008002791.tif 000002
【特許請求の範囲】
【請求項１】
被処理物の投入口と乾燥ケーキの排出口とが設けられているハウジング内に、周方向に回転する駆動軸を水平方向に架設し、該駆動軸を複数本のループ状のパイプが取り巻き、該パイプの両側面を２枚一組のプレートが挟む加熱撹拌手段を備えた被処理物の乾燥減容装置であって、
前記パイプは、スチームを噴射し、かつ、ドレインを回収する複数の小孔もしくは長孔又は全長にわたるスリットを内周面に形成し、前記駆動軸の方へ窪んだ凹陥部を設けたものであることを特徴とする被処理物の乾燥減容装置。
【請求項２】
前記駆動軸は、スチームを前記パイプ内に供給するスチームヘッダを側面に併設し、該スチームヘッダにスチームを供給するスチーム導入孔を一端側に形成し、前記パイプ内で生成されるドレインを貯留するドレイン回収部を中間部に形成し、該ドレイン回収部内のドレインを排出するドレイン排出孔を他端側に形成したものであり、
前記ループ状のパイプは、一端部を前記スチームヘッダに取り付け、他端部を前記ドレイン回収部内に入り込ませたものであることを特徴とする請求項１に記載の被処理物の乾燥減容装置。
【請求項３】
前記凹陥部から径方向に突出する撹拌羽根が前記パイプに取り付けられていることを特徴とする請求項１又は２に記載の被処理物の乾燥減容装置。
【請求項４】
前記撹拌羽根は、勾配が付けられていることを特徴とする請求項３に記載の被処理物の乾燥減容装置。
【請求項５】
各プレートに付着した被処理物を掻き落とすスクレーパが前記加熱撹拌手段間に備えられていることを特徴とする請求項１から４のいずれか一つに記載の被処理物の乾燥減容装置。
【請求項６】
前記ハウジング内を高温にするためのジャケットがハウジングに付設されていることを特徴とする請求項１から５のいずれか一つに記載の被処理物の乾燥減容装置。
【請求項７】
請求項１ないし６のいずれか一つに記載の可熱撹拌手段を駆動軸の上流側に固定し、
スチームを流入し、ドレインを排出する螺旋状のパイプが前記駆動軸を取り巻き、複数の撹拌羽根が該螺旋状パイプから径方向に突出した第２の加熱撹拌手段を前記駆動軸の下流側に固定したことを特徴とする被処理物の乾燥減容装置。
【発明の詳細な説明】
【技術分野】
【０００１】
本発明は、廃棄された生ごみ、食品残渣、脱水汚泥、水分を含んだ紛体、ポリエチレン、シリカゲル、石炭、酸化鉄、医薬品原末、ＡＢＳその他の被処理物を乾燥させて減容するための被処理物の乾燥減容装置に関し、詳しくは、被処理物を加熱しながら撹拌する加熱撹拌手段が備えられている被処理物の乾燥減容装置に関する。
【背景技術】
【０００２】
食品残渣や脱水汚泥など廃棄物を乾燥させて減容するための廃棄物の乾留減容装置が特許文献１に開示されている。この廃棄物の乾留減容装置は、熱風により廃棄物を予め過熱して乾燥処理する第１、第２乾燥器、廃棄物を予め破砕処理して粒状化する破砕機、そして過熱蒸気により廃棄物を過熱して乾留減容させる乾留減容器など備えている。
【０００３】
【特許文献１】国際公開第ＷＯ０１／５１５８７Ａ１号パンフレット
【発明の開示】
【発明が解決しようとする課題】
【０００４】
特許文献１に開示された廃棄物の乾留減容装置は、第１、第２乾燥器など多数の装置が組み合わされるため、装置が大型化し、広い設置スペースが必要であるだけでなく、建設費も上昇する。さらに、この廃棄物の乾留減容装置は、廃棄物が複数の段階を経て乾燥されるため、生産性がよいとはいえない。
【０００５】
そこで、本発明は、コンパクトであり、しかも被処理物を効率的に乾燥し、減容することができるようにした被処理物の乾燥減容装置を提供することを課題とする。
【課題を解決するための手段】
【０００６】
本発明に係る被処理物の乾燥減容装置は、被処理物の投入口と乾燥ケーキの排出口とが設けられているハウジング内に、周方向に回転する駆動軸を水平方向に架設し、該駆動軸を複数本のループ状のパイプが取り巻き、該パイプの両側面を２枚一組のプレートが挟む加熱撹拌手段を備えた被処理物の乾燥減容装置であって、前記パイプは、スチームを噴射し、かつ、ドレインを回収する複数の小孔もしくは長孔又は全長にわたるスリットを内周面に形成し、前記駆動軸の方へ窪んだ凹陥部を設けたものであることを特徴としている。
【０００７】
この被処理物の乾燥減容装置によれば、投入口からハウジング内に投入された被処理物は、加熱撹拌手段によって加熱され、水分が蒸発することにより、乾燥し、減容した粉状の乾燥ケーキとなって排出口から排出される。加熱撹拌手段は、駆動軸を取り巻く複数のループ状のパイプと、各パイプの両側面を挟む２枚一組のプレートとを備え、これらの内側に閉鎖空間が形成されている。そして、ループ状のパイプ内にスチームが供給され、このスチームは上側に位置している小孔もしくは長孔又はスリットの一部分から閉鎖空間内に噴射される。すると、各プレートが高温に加熱され、閉鎖空間内で生成されたドレインが下側に位置している小孔もしくは長孔又はスリットの一部分からループ状のパイプ内に戻される。そして、ハウジング内に投入された被処理物は、高温のプレートに広い面で接触し、凹陥部内に入り込む。隣り合っている加熱撹拌手段の各凹陥部が連続していることにより、凹陥部内の被処理物は横方向に移動することによって撹拌される。また、凹陥部が不連続である場合は被処理物が上下に移動しながら撹拌される。いずれにしても被処理物は、効率的に加熱され、水分が蒸発し、減容した乾燥ケーキが生成される。
【０００８】
また、前記本発明に係る被処理物の乾燥減容装置において、前記駆動軸は、スチームを前記パイプ内に供給するスチームヘッダを側面に併設し、該スチームヘッダにスチームを供給するスチーム導入孔を一端側に形成し、前記パイプ内で生成されるドレインを貯留するドレイン回収部を中間部に形成し、該ドレイン回収部内のドレインを排出するドレイン排出孔を他端側に形成したものであり、前記ループ状のパイプは、一端部を前記スチームヘッダに取り付け、他端部を前記ドレイン回収部内に入り込ませたものであることが好ましい。
【０００９】
この被処理物の乾燥減容装置によれば、ループ状のパイプの一端部を駆動軸の側面に併設されたスチームヘッダに取り付け、他端部をドレイン回収部内に入り込ませていることにより、ループ状のパイプは駆動軸の周方向の回転に伴って回転する。また、スチームが駆動軸の一端側に形成されたスチーム導入孔からスチームヘッダを経由してループ状のパイプ内に供給され、ループ状のパイプの上側に位置している小孔もしくは長孔又は全長にわたるスリットの一部分から閉鎖空間内に噴射される。このスチームは、閉鎖空間内でドレインとなり、このドレインは、ループ状のパイプの下側に位置している小孔もしくは長孔又は全長にわたるスリットの一部分からループ状のパイプ内に戻り、駆動軸の中間部に形成されたドレイン回収部内に排出される。ドレイン回収部内のドレインは、駆動軸の他端側に形成されたドレイン排出孔から排出される。
【００１０】
また、前記本発明に係る被処理物の乾燥減容装置において、前記凹陥部から径方向に突出する撹拌羽根が前記パイプに取り付けられていることが好ましい。
【００１１】
この被処理物の乾燥減容装置によれば、凹陥部に入り込んだ被処理物は、撹拌羽根によっても回転して撹拌される。すなわち、ハウジングの底部に溜まっている被処理物が上方へ掻き上げられ、特定の被処理物のみプレートに接触することなく、乾燥させる効率を向上させることができる。
【００１２】
また、前記本発明に係る被処理物の乾燥減容装置において、前記撹拌羽根は、勾配が付けられていてもよい。
【００１３】
この被処理物の乾燥減容装置によれば、撹拌羽根に勾配が付けられていることにより、ハウジング内の被処理物を上流側から下流側へ搬送することができる。
【００１４】
また、前記本発明に係る被処理物の乾燥減容装置において、各プレートに付着した被処理物を掻き落とすスクレーパが前記加熱撹拌手段間に備えられていることが好ましい。
【００１５】
この被処理物の乾燥減容装置によれば、被処理物を掻き落とすスクレーパが備えられていることにより、各プレートに被処理物が付着することなく、したがって、各加熱撹拌手段間のプレートに被処理物が付着して目詰まりしないようにすることができる。
【００１６】
また、前記本発明に係る被処理物の乾燥減容装置において、前記ハウジング内を高温にするためのジャケットがハウジングに付設されていることが好ましい。
【００１７】
この被処理物の乾燥減容装置によれば、ハウジングに付設されたジャケット内にスチームが供給され、ジャケット内が高温に加熱されることにより、ハウジング内が高温の雰囲気とされる。したがって、ハウジング内に投入された被処理物は、加熱されているプレートに加え、ジャケットによって高温雰囲気に置かれることになり、水分がさらに早く蒸発し、処理時間を短くすることができる。
【００１８】
また、前記本発明に係る被処理物の乾燥減容装置において、前記可熱撹拌手段を駆動軸の上流側に固定し、スチームを流入し、ドレインを排出する螺旋状のパイプが前記駆動軸を取り巻き、複数の撹拌羽根が該螺旋状パイプから径方向に突出した第２の加熱撹拌手段を前記駆動軸の下流側に固定したものとしてもよい。
【００１９】
この被処理物の乾燥減容装置は、駆動軸の上流側に前記プレートを備えた加熱撹拌手段（以下、「第１の加熱撹拌手段」ともいう。）が固定され、下流側の駆動軸に第２の加熱撹拌手段が固定される。ハウジング内に投入された被処理物は、第１の加熱撹拌手段から第２の加熱撹拌手段の方へ搬送される。第２の加熱撹拌手段に搬送された被処理物は、第１の加熱撹拌手段によって、水分を蒸発する前処理が行われ、粘性が低下しているため、螺旋状のパイプに付着して共回りすることがない。したがって、第２の加熱撹拌手段は、前処理で水分が蒸発している被処理物の水分をさらに蒸発させ、減容した乾燥ケーキを生成することができる。この被処理物の乾燥減容装置は、第１の加熱撹拌手段と第２の加熱撹拌手段を備えることにより、全て第１の加熱撹拌手段で構成するよりもコストダウンを図ることができる。
【発明の効果】
【００２０】
本発明によれば、被処理物が投入されるハウジング内に周方向に回転する駆動軸が架設され、この駆動軸に固定される加熱撹拌手段が、複数の小孔もしくは長孔又は全長にわたるスリットを形成したループ状のパイプと、この各パイプを挟む２枚一組のプレートとを備え、ループ状のパイプと一対のプレートと駆動軸によって閉鎖空間が形成され、ループ状のパイプに形成された小孔もしくは長孔又は全長にわたるスリットから閉鎖空間内にスチームが噴射されることによって各プレートが加熱される。そして、ハウジング内に投入された被処理物は、加熱されたプレートと広い面で接触し、また、凹陥部に入り込み、横方向へ移動しながら撹拌されるため、加熱撹拌手段と共回りすることなく乾燥し、減容させることができる。この結果、本被処理物の乾燥減容装置は、被処理物を効率的に乾燥ケーキに生成することができる。
【発明を実施するための最良の形態】
【００２１】
〔実施形態１〕
本発明に係る被処理物の乾燥減容装置の第１の実施形態について図１ないし図３を参照しながら説明する。この被処理物の乾燥減容装置は、図１に示すように、ハウジング１０を貫通するように架設された水平姿勢の駆動軸２０に加熱撹拌手段３０を固定したものである。
【００２２】
ハウジング１０は、天板１１、２枚の側板１２，１２、底板１３及び２枚の端板１４，１４によってほぼ閉鎖された処理室１５を設けるもので、両側板１２，１２と底板１３とが一体成形され、底板１３が樋形状に形成されている。また、天板１１には被処理物の投入口１６が設けられ、底板１３には乾燥ケーキの排出口１７が設けられている。
【００２３】
そして、各側板１２の外側に駆動軸２０を支持する軸受４０，４０が設置されている。また、駆動軸２０の一端部には、スプロケット４１が取り付けられ、このスプロケット４１とモータ４２の回転軸とにチェーン４３が掛けられ、駆動軸２０が周方向に例えば毎分５〜１０回転するようにされている。
【００２４】
この駆動軸２０は、一端側が中実で、スチーム導入孔２１が形成され、中間部が筒状でドレイン回収部２２が形成され、他端側が中実で、ドレイン排出孔２３が形成されている。また、駆動軸２０の側面には、管状のスチームヘッダ２４がほぼ全長にわたって併設されている。このスチームヘッダ２４の内部と、前記スチーム導入孔２１とが連通し、スチームＳがスチーム導入孔２１からスチームヘッダ２４内に供給される。
【００２５】
このような駆動軸２０に固定される加熱撹拌手段３０は、複数のループ状のパイプ３１と、２枚一組のプレート３２，３２と、パイプ３１から突出する撹拌羽根３３とを備えている。図２に示すように、パイプ３１の一端部３１ａは、前記スチームヘッダ２４に取り付けられ、他端部３１ｂはドレイン回収部２２内に入り込むように取り付けられている。
【００２６】
詳しくは、パイプ３１の一端部３１ａがスチームヘッダ２４から径方向に突出し、駆動軸２０を一定の間隔でほぼ５分の４周取り巻き、径方向でドレイン回収部２２内に突入し、パイプ３１で取り巻かれていない部分に駆動軸２０の方へ窪んだ凹陥部３４が設けられている。したがって、駆動軸２０が周方向に回転することによって、パイプ３１及び凹陥部３４も周方向に回転する。また、各加熱撹拌手段３０に設けられた凹陥部３４は、連続し、駆動軸２０のほぼ全長にわたって一つの凹陥部３４が設けられたようにされている。そして、スチームヘッダ２４内に流入したスチームＳが約０．５〜０．７ＭＰａの圧力でパイプ３１内に供給される。
【００２７】
そして、パイプ３１の内周面には、図３に示すように、複数の長孔３１ｃ，３１ｃ…が形成されている。長孔３１ｃ，３１ｃ…に替えて、連続する１列又は複数列の小孔、あるいは全長にわたるスリットを形成してもよいが、ここでは、長孔３１ｃ，３１ｃ…として説明する。パイプ３１が駆動軸２０の周方向の回転によって回転するため、長孔３１ｃ，３１ｃ…も回転する。そして、パイプ３１内に供給されるスチームＳが上側に位置している長孔３１ｃから噴射され、このスチームＳが冷却されて生成されるドレインＤが下方に位置している長孔３１ｃからパイプ３１内に回収される。
【００２８】
そして、２枚一組のプレート３２，３２がパイプ３１を両側から挟み、接合部が溶接されている。このプレート３２には、駆動軸２０を貫通させ、前記凹陥部３４を塞がないほぼＶ字形の切欠部３２ａが設けられている。このような２枚のプレート３２，３２とパイプ３１と駆動軸２０によって閉鎖空間３５が形成されている。
【００２９】
そして、前記凹陥部３４から径方向に撹拌羽根３３が突出している。撹拌羽根３３は、アーム３３ａの先端部に取り付けられ、アーム３３ａの基端部がパイプ３１の一端部３１ａに固定されている。この撹拌羽根３３も、駆動軸２０及びパイプ３１が周方向に回転することによって周方向に回転する。したがって、撹拌羽根３３の外側縁は、ハウジング１０の両側板１２及び底板１３に近接する程度にパイプ３１から突出している。また、底板１３が樋形状に形成されていることにより、撹拌羽根３３の先端縁と両側板１２及び底板１３との間隔が一定に維持される。
【００３０】
加熱撹拌手段３０は、このように構成され、複数個（図面においては４個）が駆動軸２０に一定の間隔をあけて固定されている。そして、各加熱撹拌手段３０のプレート３２間及び両端板１４と対向している両外側のプレート３２に近接してスクレーパ１８が配置されている。スクレーパ１８は、天板１１から吊り下げられた吊下げロッド１８ａに固定されている。
【００３１】
そして、ハウジング１０の底部ないし側部に処理室１５内を加熱するジャケット１９が付設されている。ジャケット１９内には、約０．１９ＭＰａの圧力のスチームＳが供給される。そして、ジャケット１９の底板１３には、ドレイン排出孔１９ａが設けられている。なお、ジャケット１９内に供給されるスチームＳは、前記スチームヘッダ２４に供給されるスチームＳよりも低圧であるため、それぞれのスチームＳは独立したルートで供給される。ただし、スチームＳは、一つのルートを分岐して、減圧弁を介してジャケット１９に供給するようにしてもよい。
【００３２】
第１の実施形態における被処理物の乾燥減容装置は、以上のように構成され、次に、使用方法及び動作について説明する。予め、ジャケット１９内にスチームＳを供給し、ジャケット１９内を加熱することにより、処理室１５内を高温の雰囲気とする。ジャケット１９内で生成されるドレインＤは、ドレイン排出孔１９ａから排出される。
【００３３】
一方、駆動軸２０の一端側に設けられたスチーム導入孔２１からスチームヘッダ２４内にスチームＳを供給しながら、駆動軸２０を回転する。すると、スチームヘッダ２４内のスチームＳがパイプ３１内に供給され、そして、図３（ａ）に示すように、上側に位置している長孔３１ｃ内から閉鎖空間３５内に噴射される。すると、加熱撹拌手段３０の閉鎖空間３５内が高温の状態となり、各プレート３２が全面高温に加熱される。前記ジャケット１９による加熱と相俟って、処理室１５内は例えば約７０℃となる。
【００３４】
また、プレート３２を加熱するために閉鎖空間３５内に噴射されたスチームＳは、プレート３２を加熱することによってドレインＤとなる。このドレインＤは、パイプ３１の下側に位置している長孔３１ｃからパイプ３１内に戻される。パイプ３１内は、約０．５〜０．７ＭＰａの高圧とされているため、ドレインＤは、パイプ３１の外周内壁に向かって押し付けられる状態となって、パイプ３１とともに回転する。そして、図３（ｂ）に示すように、パイプ３１の他端部３１ｂが下向き（傾斜している下向きを含む。）となると、ドレインＤが駆動軸２０のドレイン回収部２２内に排出される。このドレインＤは、図１に示すように、駆動軸２０の他端側に設けられたドレイン排出孔２３から排出される。
【００３５】
このような状況下で、ハウジング１０に設けられた投入口１６から処理室１５内に被処理物Ａを投入する。被処理物Ａは、各加熱撹拌手段３０のプレート３２間に入りながら処理室１５の底側に堆積される。ただし、投入される被処理物Ａは、駆動軸２０と接触しない量に制限される。そして、駆動軸２０が回転することによって、加熱撹拌手段３０が回転する。すると、処理室１５の底側に堆積している被処理物Ａは、撹拌羽根３３によって処理室１５の上側に掻き上げられる。また、上側に掻き上げられた被処理物Ａは、スクレーパ１８によって各加熱撹拌手段３０のプレート３２間に詰まることなく、加熱撹拌手段３０の凹陥部３４内にも入り込む。隣り合っている凹陥部３４が連続している場合は、凹陥部３４内の被処理物Ａは、横方向に移動しながら撹拌される。凹陥部２４が不連続の場合は、被処理物Ａが上下に移動しながら撹拌される。
【００３６】
このようにしてプレート３２によって加熱され、凹陥部３４内を移動しながら撹拌される被処理物Ａは、プレート３２によって広い面で接触することにより、熱伝導よく加熱され、乾燥ケーキが効率的に生成される。この乾燥ケーキは、被処理物Ａの３０％前後の重量となって排出口１７から排出される。この乾燥ケーキは、一括処理でも連続処理でも生成することができる。なお、この被処理物の乾燥減容装置は、さらに被処理物Ａの水分を蒸発させることができるが、水分が蒸発しすぎると、微紛が発生するため、取扱いが面倒になる。
〔実施形態２〕
【００３７】
次に、本発明に係る被処理物の乾燥減容装置の第２の実施形態について図４を参照しながら説明する。ただし、第１の実施形態において説明した部分と同一に相当する部分は、同一符号を付して説明する。
【００３８】
この被処理物の乾燥減容装置は、被処理物Ａを搬送しながら乾燥させるためのもので、ハウジング１０及び駆動軸２０が第１の実施形態のものよりも例えば５〜６倍の長さとされている。したがって、ハウジング１０の上流側（図面において左側）の天板１１に被処理物Ａの投入口１６が設けられ、下流側（図面において右側）の底板１３に乾燥ケーキの排出口１７が設けられている。また、必要に応じて、処理室１５内の微紛を排出するためのペーパー排出口（図示せず）が天板１１の中心に設けられている。
【００３９】
そして、駆動軸２０は、第１の実施形態と同じく、側面にスチームヘッダ２４が併設され、一端側にスチーム導入孔２１、中間部にドレイン回収部２２、他端側にドレイン排出孔２３がそれぞれ形成されている。このような駆動軸２０の上流側に前記の第１の実施形態の加熱撹拌手段３０（以下、「第１の加熱撹拌手段３０」という。）が固定され、駆動軸２０の下流側に第２の加熱撹拌手段５０が固定される。
【００４０】
第２の加熱撹拌手段５０は、スチームＳが供給・回収される螺旋状のパイプ５１と、螺旋状のパイプ５１よりも外側に配置される撹拌羽根５２とを備えている。第２の加熱撹拌手段５０は、第１の加熱撹拌手段３０のようにプレートが備えられておらず、したがって、螺旋状のパイプ５１には孔が形成されていない。螺旋状のパイプ５１は、駆動軸２０を螺旋状に取り巻き、一端部がスチームヘッダ２４に取り付けられ、他端部３１ｂが駆動軸２０内のドレイン回収部２２内に入り込んでいる。この螺旋状のパイプ５１は、図示したような１本ではなく、複数本を直列に配置し、それぞれの一端部をスチームヘッダ２４に取り付け、他端部３１ｂをドレイン回収部２２内に入り込むようにしてもよい。
【００４１】
いずれにしても、螺旋状のパイプ５１には、撹拌羽根５２が突出する状態に固定されている。この撹拌羽根５２も前記の第１の加熱撹拌手段３０に備えられた撹拌羽根３３も、被処理物Ａを上流側から下流側へ搬送するための傾斜が付けられている。
【００４２】
そして、ハウジング１０の底部ないし側部には、処理室１５内を高温に加熱するためのジャケット（図示せず）が付設されている。なお、駆動軸２０を周方向に回転させるモータ４２は、図１において駆動軸２０の一端側（スチーム導入孔２１を形成した側）に配置し、図４において駆動軸２０の他端側（ドレイン排出孔２３を形成した側）に配置しているが、いずれの側に配置してもよい。
【００４３】
ここで、第２の実施形態における被処理物の乾燥減容装置の使用方法及び動作について説明する。予め、ジャケット内にスチームＳを供給し、処理室１５内を高温に加熱する。そして、駆動軸２０の一端側に設けられたスチーム導入孔２１からスチームヘッダ２４内にスチームＳを供給しながら駆動軸２０を回転する。すると、スチームヘッダ２４内のスチームＳは、第１の加熱撹拌手段３０に備えられたループ状のパイプ３１内に供給され、上側に位置している長孔３１ｃ内から閉鎖空間３５内に噴射される。このようにして、第１の加熱撹拌手段３０の閉鎖空間３５内が高温の状態となり、各プレート３２が全面、高温に加熱される。そして、閉鎖空間３５内で生成されたドレインＤは、駆動軸２０のドレイン回収部２２内に流入する。
【００４４】
一方、第２の加熱撹拌手段５０に備えられた螺旋状のパイプ５１内にもスチームＳが供給され、螺旋状のパイプ５１が高温に加熱される。螺旋状のパイプ５１内で生成されたドレインＤも駆動軸２０のドレイン回収部２２内に流入する。ドレイン回収部２２内のドレインＤは、ドレイン排出孔２３から排出される。
【００４５】
そして、被処理物の投入口１６から処理室１５内に被処理物Ａが投入される。この被処理物Ａは、第１の加熱撹拌手段３０の撹拌羽根３３によって下流の方へ搬送される。この被処理物Ａは、プレート３２で加熱されるため、効率的に水分が蒸発し、共回りすることなく、第２の加熱撹拌手段５０へ搬送される。
【００４６】
この被処理物Ａは、第１の加熱撹拌手段３０によって前処理され、ある程度の水分が蒸発し、粘性が低下しているため、第２の加熱撹拌手段５０の螺旋状のパイプ５１に付着することがなく、換言すれば、共回りすることなく加熱される。したがって、被処理物Ａは、第２の加熱撹拌手段５０によって、さらに乾燥され、乾燥ケーキが生成される。この乾燥ケーキは、排出口１７から排出される。
【００４７】
なお、第１の加熱撹拌手段３０によって被処理物Ａを乾燥させることなく、第２の加熱撹拌手段５０によってのみ、被処理物Ａを乾燥させようとすると、被処理物Ａの粘性によって、被処理物Ａが螺旋状のパイプ５１に付着し、共回りすることもありえる。しかし、被処理物Ａは、第１の加熱撹拌手段３０によって予め乾燥され、粘性が低下しているため、第２の加熱撹拌手段５０の螺旋状のパイプ５１と共回りすることなく、乾燥され、減容した乾燥ケーキが生成される。
【００４８】
なお、本発明は、前記の実施形態に限定することなく、特許請求の範囲に記載した発明特定事項の範囲内において種々変更することができる。例えば、第２の実施形態で説明した長さのハウジング１０及び駆動軸２０の全長にわたって、第１の加熱撹拌手段３０を備えるようにしてもよい。この場合、第２の実施形態で説明した被処理物の乾燥減容装置よりもコストアップするが、乾燥効率をさらに高めることができる。
【００４９】
また、第１の加熱撹拌手段３０は、それぞれ、ループ状のパイプ３１が１本ずつ駆動軸２０を取り巻き、１か所ずつ凹陥部３４を形成する場合について説明したが、例えば、スチームヘッダ２４を駆動軸２０の側面に２本添設し、ループ状のパイプ３１を２本一組とし、２か所に凹陥部３４を設けてもよい。あるいは、１本のループ状のパイプ３１の中間部を駆動軸２０の方へ窪ませることにより、２か所に凹陥部３４を設けてもよい。さらに、撹拌羽根３３やジャケット１９は、必ずしも備えなくてもよい。また、スチームヘッダ２４は、駆動軸２０の側面に添設しないで、駆動軸２０の内部に形成してもよい。
【図面の簡単な説明】
【００５０】
【図１】本発明に係る被処理物の乾燥減容装置の第１の実施形態を示す断面正面図である。
【図２】本発明に係る被処理物の乾燥減容装置の第１の実施形態であって、図１のＸ−Ｘ線概略断面図である。
【図３】本発明に係る被処理物の乾燥減容装置に備えられた第１の加熱撹拌手段の一実施形態であって、（ａ）は初期又は途中の状態を示す側面図であり、（ｂ）は（ａ）と異なる途中の状態を示す側面図である。
【図４】本発明に係る被処理物の乾燥減容装置の第２の実施形態を示す断面正面図である。
【符号の説明】
【００５１】
１０……ハウジング
１６……投入口
１７……排出孔
１８……スクレーパ
１９……ジャケット
２０……駆動軸
２１……スチーム導入孔
２２……ドレイン回収部
２３……ドレイン排出孔
２４……スチームヘッダ
３０……（第１の）加熱撹拌手段
３１……（ループ状の）パイプ
３１ａ…一端部
３１ｂ…他端部
３１ｃ…長孔
３２……プレート
３３……撹拌羽根
３４……凹陥部
５０……第２の加熱撹拌手段
５１……螺旋状のパイプ
５２……撹拌羽根
Ａ………被処理物
【図１】
2008002791.tif 000003
【図２】
2008002791.tif 000004
【図３】
2008002791.tif 000005
【図４】
2008002791.tif 000006